(57)【要約】【課題】十分な発泡力を有し噴霧された泡状体が噴霧対象物に付着して優れた洗浄効果を発揮後、速やかに消泡せしめることによって噴霧対象物の洗浄効率を高め得る発泡性洗剤組成物の提供【課題の解決手段】（Ａ−１）発泡成分としての界面活性剤、（Ｂ）油剤、（Ｃ）エタノール及び／又はイソプロピルアルコール（ＩＰＡ）、及び（Ｄ）水を含有する洗浄液と、（Ｅ）噴射剤とをエアゾール容器に充填してなる発泡性洗剤組成物であって、更に（Ａ−２）泡調節剤としてのＨＬＢが７．０未満であるノニオン界面活性剤を前記洗浄液に配合し、前記エアゾール容器から噴霧された泡状体を噴霧対象物に付着させた後、３０秒以内に消泡せしめることによって前記噴霧対象物の洗浄効率を高めた発泡性洗剤組成物。【選択図】なし【特許請求の範囲】
【請求項１】
（Ａ−１）発泡成分としての界面活性剤、（Ｂ）油剤、（Ｃ）エタノール及び／又はイソプロピルアルコール（ＩＰＡ）、及び（Ｄ）水を含有する洗浄液と、（Ｅ）噴射剤とをエアゾール容器に充填してなる発泡性洗剤組成物であって、更に、（Ａ−２）泡調節剤としてのＨＬＢが７．０未満であるノニオン界面活性剤を前記洗浄液に配合し、前記エアゾール容器から噴霧された泡状体を噴霧対象物に付着させた後、３０秒以内に消泡せしめることによって前記噴霧対象物の洗浄効率を高めた発泡性洗剤組成物。
【請求項２】
（Ａ−１）発泡成分としての界面活性剤を０．５〜５．０質量％、（Ｂ）油剤を０．５〜３．０質量％、（Ｃ）エタノール及び／又はイソプロピルアルコールを２．０〜２０質量％、（Ａ−２）泡調節剤としてのＨＬＢが７．０未満であるノニオン界面活性剤を０．１〜５．０質量％、及び（Ｄ）水を含有する洗浄液５０〜８５容量％と、（Ｅ）噴射剤１５〜５０容量％とをエアゾール容器に充填してなる請求項１に記載の発泡性洗剤組成物。
【請求項３】
前記（Ａ−２）泡調節剤としてのＨＬＢが７．０未満であるノニオン界面活性剤が、ポリオキシアルキレンアルキルアミンである請求項１又は請求項２に記載の発泡性洗剤組成物。
【請求項４】
前記（Ｂ）油剤が、Ｃ１０〜Ｃ１８のパラフィン系炭化水素である請求項１ないし請求項３のいずれか１項に記載の発泡性洗剤組成物。
【請求項５】
前記（Ａ−１）発泡成分としての界面活性剤が、アルキルアミンオキシド系界面活性剤もしくは、両性界面活性剤である請求項１ないし請求項４のいずれか１項に記載の発泡性洗剤組成物。
【請求項６】
前記（Ｅ）噴射剤が、液化石油ガス（ＬＰＧ）主体である請求項１ないし請求項５のいずれか１項に記載の発泡性洗剤組成物。
【請求項７】
網戸又はエアコンフィルター用である請求項１ないし請求項６のいずれか１項に記載の発泡性洗剤組成物。
【発明の詳細な説明】
【技術分野】
【０００１】
本発明は、網戸やエアコンフィルター等の洗浄をするにあたり、エアゾールの形態で使用される洗剤組成物であって、噴霧された泡状体が噴霧対象物に付着して優れた洗浄効果を発揮後、その泡状体を消泡せしめることによって噴霧対象物の洗浄効率を高めた発泡性洗剤組成物に関する。
【背景技術】
【０００２】
従来、網戸の洗浄には、スポンジやタワシ等でこすり洗いする方法や、市販の洗浄剤を用いて洗浄する方法が行われている。しかし、スボンシ等でこすり洗いする方法では網面を傷めたり、たるみを生じる恐れがある。そのため、網戸用の洗浄剤としては、擦らなくても汚れが落ちる高い洗浄力を有する洗浄剤が必要であり、また、洗浄剤をエアゾール製剤として、網戸に吹き付ける場合には、泡が網面を通過しないように、特に発泡性が重要となる。また、噴霧対象物の洗浄効果において泡状体の方が液状体よりも有利なことが知られており、例えば、特許文献１（特開平１０−２６５８００号公報）では、泡の付着率の改善を目的とした網戸用洗浄剤組成物が開示されている。更に、特許文献２、及び特許文献３（特公平６−７２２３９号公報、及び特公平７−３０３６０号公報等）には、付着した泡状体が、消泡することで一層、洗浄力を高めることも知られている。更に、網戸、フィルターの洗浄においては、拭き取り性が洗浄力、作業性に影響することを考慮すると、速やかに消泡することは、より一層、洗浄効果を高めるといえる。
【０００３】
ところで、網戸用の洗浄剤組成物中に消泡剤を配合する提案としては、例えば、シリコーン系消泡剤を用いた特許文献４（特開２００９−１３３２１号公報）がある。この文献は、スプレー後ボタンの噴口付近に泡がたまるアフタードローの抑制に効果的であったが、噴霧対象物における消泡性は必ずしも高いとは言えなかった。また、特許文献５（特開２００８−３１０９８号公報）は、油成分、乳化剤、消泡剤、水成分を含有する原液と、ジメチルエーテルを含有するエアゾール組成物を開示し、消泡剤としてオキシエチレン単位とオキシプロピレン単位を含むブロック共重合体があげられている。しかしながら、このエアゾール組成物は吐出物を皮膚に塗り伸ばすとプチプチとはじける感触が得られるクリーム処方を意図したもので、網戸等の洗浄に関する本発明の参考には成り難い。また、特許文献６（特許第３５５８３９３号公報）は、低級アルコール、水、油成分、特定のノニオン界面活性剤を含有する原液と、蒸気圧が２５℃で２−７ｋｇ／ｃｍ２・Ｇの噴射剤からなり、噴射させたときに泡状となり、破泡させなくても自ら消泡する起泡性エアゾール組成物を開示しているが、この組成物は、網戸等の網面にスプレーした際、発泡が不十分で、網面を通過する泡が多く、十分な洗浄力が得られないという問題がある。また、特許文献７（特開２０１２−４６７２５）には、起泡剤、水溶性溶剤、水、油分を含有する水性原液と液化ガスとからなるエアゾール組成物を含有する発泡性エアゾール製品であって、対象物上で発泡後、あるいは泡状に付着した後で、弾けるように破泡するフォームを形成する発泡性エアゾール製品が開示されている。しかしながら、特許文献７の発明は、対象物として主にガラス板、タイル、各種金属面等を意図したものであり、当然のことながら、網戸やフィルターに使用した場合の突き抜けの程度や、展着した泡の破泡速度等に関する検討はなされておらず、網戸やエアコンフィルター等の洗浄用を目的とする本願発明の参考とはならないものである。
【先行技術文献】
【特許文献】
【０００４】
【特許文献１】特開平１０−２６５８００号公報
【特許文献２】特公平６−７２２３９号公報
【特許文献３】特公平７−３０３６０号公報
【特許文献４】特開２００９−１３３２１号公報
【特許文献５】特開２００３−３１０９８号公報
【特許文献６】特許第３５５８３９３号公報
【特許文献７】特開２０１２−４６７２５号公報
【発明の概要】
【発明が解決しようとする課題】
【０００５】
本発明は、十分な発泡力を有し噴霧された泡状体の殆どが網戸やフィルターを突き抜けることなく、付着して優れた洗浄効果を発揮後、その泡状体を速やかに消泡せしめることによって噴霧対象物の洗浄効率を高め得る発泡性洗剤組成物を提供することを目的とする。
【課題を解決するための手段】
【０００６】
本発明は、以下の構成が上記目的を達成するために優れた効果を奏することを見出したものである。
（１）（Ａ−１）発泡成分としての界面活性剤、（Ｂ）油剤、（Ｃ）エタノール及び／又はイソプロピルアルコール（ＩＰＡ）、及び（Ｄ）水を含有する洗浄液と、（Ｅ）噴射剤とをエアゾール容器に充填してなる発泡性洗剤組成物であって、更に、（Ａ−２）泡調節剤としてのＨＬＢが７．０未満であるノニオン界面活性剤を前記洗浄液に配合し、前記エアゾール容器から噴霧された泡状体を噴霧対象物に付着させた後、３０秒以内に消泡せしめることによって前記噴霧対象物の洗浄効率を高めた発泡性洗剤組成物。
（２）（Ａ−１）発泡成分としての界面活性剤を０．５〜５．０質量％、（Ｂ）油剤を０．５〜３．０質量％、（Ｃ）エタノール及び／又はイソプロピルアルコールを２．０〜２０質量％、（Ａ−２）泡調節剤としてのＨＬＢが７．０未満であるノニオン界面活性剤を０．１〜５．０質量％、及び（Ｄ）水を含有する洗浄液５０〜８５容量％と、（Ｅ）噴射剤１５〜５０容量％とをエアゾール容器に充填してなる（１）に記載の発泡性洗剤組成物。
（３）前記（Ａ−２）泡調節剤としてのＨＬＢが７．０未満であるノニオン界面活性剤が、ポリオキシアルキレンアルキルアミンである（１）又は（２）に記載の発泡性洗剤組成物。
（４）前記（Ｂ）油剤が、Ｃ１０〜Ｃ１８のパラフィン系炭化水素である（１）ないし（３）のいずれか１に記載の発泡性洗剤組成物。
（５）前記（Ａ−１）発泡成分としての界面活性剤が、アルキルアミンオキシド系界面活性剤もしくは、両性界面活性剤である（１）ないし（４）のいずれか１に記載の発泡性洗剤組成物。
（６）前記（Ｅ）噴射剤が、液化石油ガス（ＬＰＧ）主体である（１）ないし（５）のいずれか１に記載の発泡性洗剤組成物。
（７）網戸又はエアコンフィルター用である（１）ないし（６）のいずれか１に記載の発泡性洗剤組成物。
【発明の効果】
【０００７】
本発明の発泡性洗剤組成物は、十分な発泡力を有し噴霧された泡状体が噴霧対象物に付着して優れた洗浄効果を発揮後、その泡状体を速やかに消泡せしめることによって噴霧対象物の洗浄効率を高め得るので、その実用性は極めて高い。
【発明を実施するための形態】
【０００８】
本発明で用いられる成分（Ａ−１）発泡成分としての界面活性剤としては、十分な発泡性と洗浄力を有する限り、通常液体洗浄剤に使用される陰イオン界面活性剤、両性界面活性剤又はＨＬＢが７．０以上であるノニオン界面活性剤の中から１種以上の界面活性剤を任意に選択でき、アニオン界面活性剤としては、例えば脂肪酸石けん、アルキルベンゼンスルホン酸塩、直鎖アルキルベンゼンスルホン酸塩、アルキル硫酸塩、α―オレフィンスルホン酸塩、アルキルりん酸エステル塩、ポリオキシエチレンアルキルエーテル硫酸塩、ポリオキシエチレンアルキルフェニルエーテル硫酸塩、ポリオキシエチレンアルキルエーテルりん酸塩などが挙げられる。また、両性界面活性剤としては、例えばアルキルカルポキシベタイン、アルキルアミノカルボン酸、アルキルイミダゾリン、アルキルアミンオキシドなどが挙げられ、ＨＬＢが７．０以上であるノニオン界面活性剤としては、例えばポリオキシエチレンアルキルエーテル、ポリオキシエチレンアルキルフェニルエーテル、ポリオキシエチレン高級脂肪酸エステル、ポリオキシエチレンソルビタン脂肪酸エステル、ポリオキシエチレングリセリン脂肪酸エステル、ポリオキンエチレン硬化ヒマシ油、ヤシ油脂肪酸ジエタノールアミド、ポリオキシエチレンポリオキシプロピレンアルキルエーテル、脂肪酸アルカノールアミドなどが挙げられる。発泡性や洗浄力の点からアルキルアミンオキシドおよびアルキルカルボキシベタイン型両性界面活性剤が好ましく、なかんずくアルキルアミンオキシド系界面活性剤はより好ましい。
これらの界面活性剤は１種または２種以上を組み合わせて用いることができ、洗浄液中に０．５〜５．０質量％配合されるのが好ましく、この範囲では、網面への付着性に優れている。
【０００９】
成分（Ｂ）の油剤としては、 ＩＰソルベント１６２０、ＩＰソルベント２０２８、ＩＰソルベント２８３５（以上出光興産社製）、アイソパーＡ、アイソパーＣ、アイソパーＤ、アイソパーＥ、アイソパーＧ、アイソパーＨ、アイソパーＫ、アイソパーＬ、アイソパーＭ（以上、エクソン社製）
、ネオチオゾールなどのパラフィン系炭化水素、流動パラフィン、ワセリン、スクワラン、α―オレフィンオリゴマー、スクワレンなどの炭化水素類、オリーブ油、アーモンド油、ホホバ油、落花生油、ヒマシ油、ヤシ油、パーム油、サフラワー油、ヒマワリ油、綿実油、アボカド油、ツバキ油、トウモロコシ油、小麦旺芽油、コメヌカ油、カカオ油、ゴマ油、月見草油、紅花油、サザンカ油、大豆油、ナタネ油などの植物油、ラノリン、ラノリン誘導体、タートル油、ミンク油、ミツロウ、プリスタン、卵黄油などの動物油、プチルステアレート、
ヘキシルラウレート、イソプロピルミリステート、オクチルドデシルミリステート、イソプロピルパルミテート、ジイソプロピルアジペート、ジイソプロピルセパケートなどの脂肪酸エステル、ｌ― メントール、リモネン、シネオール、リナロール、ピネン、カンファーなどの精油成分、天然および合成香料などがあげられ、これらは単独でまたは２種以上を混合して用いることができるが、とくにＣ１０〜Ｃ１８のパラフィン系炭化水素、なかでもイソパラフィン系炭化水素が好ましく用いられる。
（Ｂ）油剤は洗浄液中に０．５〜３．０質量％配合されるのが好ましい。この範囲では、消泡性や当初の泡立ち性にも優れている。
【００１０】
成分（Ｃ）のエタノール及び／又はイソプロピルアルコールは、それぞれ単独で、又は組み合わせて用いることができ、洗浄液中に２．０〜２０質量％配合されるのが好ましい。この範囲では、十分な洗浄力および泡性能が得られ、泡の飛び散りが丁度よいなどの利点がある。
【００１１】
本発明の発泡性洗剤組成物の洗浄液には、（Ｄ）水と共に、更に、クエン酸、リンゴ酸、コハク酸などの有機酸およびそれらの塩、エチレンジアミン四酢酸、ヒドロキシエチレンジアミン三酢酸、ニトリロ酢酸などのアミノカルボン酸およびそれらの塩等に代表されるキレート剤、ｐＨ調整剤、防錆剤（安息香酸ナトリウムなど）、除菌剤、消臭剤、虫除け剤、香料等を適宜配合してもよい。なお、洗浄液のｐＨを、６〜８程度に調整して、より安全性の高いものにすることもできる。
【００１２】
本発明に用いられる（Ｅ）噴射剤としては、２０℃における圧力が０．２３〜０．５０ＭＰａのＬＰＧを主体としたものがよく、もちろんこれにジメチルエーテル（ＤＭＥ）や圧縮ガス（窒素、炭酸ガスなど）を必要に応じて添加しても構わない。
なお、発泡性洗剤組成物における洗浄液と（Ｅ）噴射剤の配合比率としては、５０〜８５容量％／１５〜５０容量％が適当である。
【００１３】
本発明の発泡性洗剤組成物の洗浄液には、更に、成分（Ａ−２）泡調節剤としてのＨＬＢが７．０未満であるノニオン界面活性剤が配合される。従来、消泡剤として油剤を配合する製剤は多く報告されているが、単に油剤を配合しただけでは、泡切れが良すぎて、網戸やフィルターに、展着することが難しく、突き抜けが多く発生する。そこで、鋭意研究を行った結果、本発明者らは、泡調節剤として、成分（Ａ−２）ＨＬＢが７．０未満であるノニオン界面活性剤を配合することによって、網戸やフィルターに十分展着し、付着後、泡状体を速やかに消泡せしめることが可能となり、特に垂直面では、付着した泡状体が垂れ落ちる前に消泡することにより、効率よく洗浄剤が対象物に作用して洗浄力が高まるだけでなく、泡状体が速やかに消泡することにより、洗浄作業効率を大いに高め得ることが可能となることを見出した。
【００１４】
成分（Ａ−２）ＨＬＢが７．０未満であるノニオン界面活性剤としては、特に限定されるものではないが、ポリオキシアルキレンアルキルアミンが好適に使用され、洗浄液中に０．１〜５．０質量％配合されるのが好ましい。０．１質量％未満では消泡性に問題が出る場合があり、一方、５．０質量％を超えると当初の泡立ちに影響を及ぼす場合がある。なお、本発明の効果に支障を来たさないかぎり、脂肪酸エステル系消泡剤、高級アルコール系消泡剤、ポリエーテル系消泡剤などの他種の消泡剤を添加しても構わない。
【００１５】
本発明で用いられる噴射ボタンとしては、泡を形成するボタンであればいずれであってもよいが、メカニカルブレークアップ機構を持つものが好ましい。
【００１６】
次に、具体的実施例に基づいて、本発明の発泡性洗剤組成物をさらに詳細に説明する。
【実施例１】
【００１７】
（Ａ−１）発泡剤としての界面活性剤として、ラウリルアミンオキシドを１．０質量％、（Ｂ）油剤として、ＩＰクリーンＬＸ（イソパラフィン）を１．５質量％、（Ｃ）９５％エタノールを１０質量％、（Ａ−２）ＨＬＢが７．０未満であるノニオン界面活性剤として、ポリオキシエチレンラウリルアミン（ＨＬＢ＝６．２）を１．５質量％と、残部として（Ｄ）水を含有する洗浄液を調製した。
上記洗浄液７０容量％をエアゾール容器に入れ、（Ｅ）噴射剤としてのＬＰＧを３０容量％加圧充填して本発明の発泡性洗剤組成物を得た。
このときのＬＰＧの圧力は０．２９ＭＰａ（２０℃）で、また、噴射ボタンはプリシジョンバルブ株式会社製コスモスＳＰＣアクア孔径０．６４ｍｍを使用した。
【００１８】
面積が２ｍ２の金属製の網戸に対し、本発明の発泡性洗剤組成物を３０ｍＬ処理したところ、噴霧された泡状体が網戸に付着して優れた洗浄効果を発揮した。その泡状体は２０秒以内に順次消泡し、泡状体のままで垂れ落ちることなく、液状になり、布で軽く拭き取るだけで、網戸をきれいにすることができた。かかる網戸の洗浄作業は、効率的で極めて実用性の高いものであった。
【実施例２】
【００１９】
実施例１に準じ、表１に示す組成（但し残部は水）の発泡性洗剤組成物を調製し、下記の洗浄力試験、泡性能試験を行った。結果を表２に示す。
（１）洗浄力試験
屋外に長期間放置した網戸の網面に各種発泡性洗剤組成物をスプレーし、５分間放置後、水洗して、網面の洗浄状態を観察し、以下の基準で評価した。
○；汚れが完全に落ちた
△；汚れが一部残った
×；汚れがほとんど落ちていなかった
（２）泡性能
網戸の網面に各種発泡性洗剤組成物をスプレーしたときの、発泡性、泡の付着性、泡の飛び散り、網戸上での消泡性を観察し、以下の基準で評価した。
＜発泡性＞
○；発泡性がよい
△；発泡はするが、十分ではない
×；ほとんど発泡しない
＜泡の付着性＞
○；付着率９０％以上
△；付着率５０〜９０％
×；付着率５０％以下
＜泡の飛び散り＞
○；ほとんどない
△；少しある
×；多い
＜網戸上での消泡性＞
○；２０秒以内にシャープに消泡
△；３０秒以内に消泡するが明瞭ではない
×；泡が消えるまでに３０秒より長い時間がかかる
【００２０】
【表１】
2014074125.tif 000002
【００２１】
【表２】
2014074125.tif 000003
【００２２】
試験の結果、本実施例の発泡性洗剤組成物（実施例２ないし８）はいずれも網戸の洗浄に際して、発泡性がよく、擦ることなく汚れを落とし、更にシャープでかつ優れた消泡性を有することが確認された。特に、（Ａ−１）発泡剤としての界面活性剤として、アルキルアミンオキシドを用い、且つ（Ｂ）油剤としてパラフィン系炭化水素、（Ａ−２）ＨＬＢが７．０未満であるノニオン界面活性剤としてポリオキシエチレンラウリルアミンを使用した実施例２及び３では、噴霧された泡状体が網戸面に付着し、その泡状体は泡状体のまま垂れ落ちることなく、２０秒以内に消泡し、網戸等の洗浄作業は極めて効率的なものとなった。
これに対し、（Ｂ）油剤及び（Ａ−２）ＨＬＢが７．０未満であるノニオン界面活性剤を用いない場合（比較例１、２、４、５、６）や、従来から消泡剤として使用されているオキシエチレン・オキシプロピレンブロック共重合体を使用した場合（比較例３）では消泡性が劣り洗浄の作業性が劣った。また、（Ｃ）エタノール及び／又はイソプロピルアルコールを配合していない場合（比較例４）は、発泡性がやや悪く、消泡性も劣っていた。また（Ａ−１）発泡成分としての界面活性剤を配合していない比較例７は、発泡性、付着性が悪く、洗浄性も劣っていた。
【産業上の利用可能性】
【００２３】
本発明の発泡性洗剤組成物は、網戸やエアコンフィルターに用いられるほか、窓ガラス、換気扇、トイレ、浴槽、自動車等の洗浄、あるいは泡状にして有効成分を付着させるような製剤、例えば除菌剤、虫除け剤等の分野にも利用できる可能性がある。